【事件の表示】
　特願２０１７−５５２８５２「チャネル測定方法，基地局，およびＵＥ」拒絶査定不服審判事件〔平成２８年１０月１３日国際公開，ＷＯ２０１６／１６１７３６，平成３０年　６月２１日国内公表，特表２０１８−５１６４８１〕について，次のとおり審決する。
【結　論】
　本件審判の請求は，成り立たない。
【理　由】
１．手続の経緯
　本願は，２０１５年８月１４日（パリ条約による優先権主張　外国庁受理２０１５年４月１０日，中国）を国際出願日とする出願であって，平成３０年１１月８日付けで拒絶理由が通知され，平成３１年１月３１日付けで手続補正がなされ，平成３１年３月２６日付けで拒絶査定がされ，令和元年７月１８日に拒絶査定不服審判が請求されたものである。
２．本願発明
　本願の請求項１に係る発明（以下，「本願発明」という。）は，平成３１年１月３１日付け手続補正書の特許請求の範囲の請求項１に記載された事項により特定される，以下のとおりのものと認める。
「チャネル測定方法であって，
　ユーザ機器(UE)によって，基準信号リソースマッピング図を取得し，前記基準信号リソースマッピング図に従って基準信号を取得するステップと，
　前記UEによって，前記基準信号に従ってチャネル測定を実行してチャネル状態情報を決定し，前記チャネル状態情報を基地局にフィードバックするステップと，を備え，
　前記基準信号リソースマッピング図が，前記基準信号の時間-周波数リソースがマッピングされる位置であり，前記基準信号リソースマッピング図が，第1の基準信号リソースマッピング図または第2の基準信号リソースマッピング図であり，K2個の第2の基準信号リソースマッピング図の各々とK1個の第1の基準信号リソースマッピング図のうちの少なくとも1つとの間に相関関係が存在し，K2が前記第2の基準信号リソースマッピング図の数であり，K1が前記第1の基準信号リソースマッピング図の数であり，K1およびK2が1以上の整数であり，
　前記第1の基準信号リソースマッピング図がYポートの基準信号リソースマッピング図であり，前記第2の基準信号リソースマッピング図がXポートの基準信号リソースマッピング図であり，Yが8以下で2nを満たす整数であり，Xが8より大きい整数，または8より小さく2nを満たさない整数であり，前記K2個の第2の基準信号リソースマッピング図のうちの少なくとも2つは重複するリソースを有する，チャネル測定方法。」
３．原査定の拒絶の理由
　平成３１年３月２６日付けの拒絶査定の概要は，
　（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　請求項１に対して
　国際公開第２０１５／０４５６９６号
　というものである。
４．引用例
　原査定の拒絶の理由に引用された，本願の優先権主張の日前である２０１５年４月２日に国際公開された国際公開第２０１５／０４５６９６号（以下，「引用文献１」という。）には，次の事項が記載されている。
「[0006]　また，３ＧＰＰ標準のリリース１０では，アンテナポート数が８以下の場合のチャネル状態情報（
ＣＳＩ：Channel State Information
ＲＳ
Reference Signal
図１に，アンテナポート数が８以下の場合のＣＳＩ−ＲＳのマッピング例を示す。
周波数領域では，１リソースブロック
内に１アンテナポート当たり１リソースエレメント
が割り当てられている。
[0007]　リソースブロック内のリソースエレメントへのＣＳＩ−ＲＳのマッピングを移動局に通知するために，図２に示すテーブル（CSI-RS configuration）が用いられる（3GPP TS 36.211 V10.7.0 (2013-02) Sec 6.10.5のTable 6.10.5.2-1参照）。図２は，ＣＳＩ−ＲＳのリソース構成を指定する際に用いられるテーブルの例を示している。
[0008]　例えば，
アンテナポート数が２の場合，図１（Ａ）に示す２０種類のＣＳＩ−ＲＳのマッピングが存在する。２０種類のマッピングの中のどれが使用されるかを移動局に通知するために，図２のテーブルにおける０〜１９のいずれかのインデックス
が用いられる。
「[0023]　本発明の実施例では，複数のアンテナポートを有する基地局（ｅＮＢ：evolved Node B），より具体的には，
拡張されたアンテナポート数（８より多いアンテナポート数）に対応可能なＣＳＩ−ＲＳの構成を実現するための基地局について説明する。
[0024]　なお，ＣＳＩ−ＲＳとは，ＣＱＩ（Channel Quality Indicator），ＰＭＩ（Precoding Matrix Indicator），ＲＩ（Rank Indicator）のようなチャネル状態情報（ＣＳＩ）を測定するために用いられる参照信号である。また，アンテナポートとは，参照信号を送信するアンテナ素子のまとまりである。１つのアンテナポートが１つのアンテナ素子に対応する場合もあり，また，１つのアンテナポートが複数のアンテナ素子に対応する場合もある。
[0025]　拡張されたアンテナポート数に対応可能なＣＳＩ−ＲＳを設計する際に，本発明の実施例では以下の設計思想を考慮する。
[0026]　（Ａ）様々なアンテナポート数に対応できること
　例えば，１６，３２，６４等のようなアンテナポート数だけでなく，例えば，１０，１２，１６，２４，３２，３６，４８，６４，９６，１２８等のアンテナポート数にも対応できることが望ましい。」
「[0030]　本発明の実施例では，このような点を考慮して，以下のいずれかの手法により，拡張されたアンテナポート数に対応可能なＣＳＩ−ＲＳの構成を実現する。」
「[0032]　（２）３ＧＰＰ標準のリリース１０で規定されているＣＳＩ−ＲＳのマッピングを組み合わせる手法
　例えば，アンテナポート数が１６の場合，３ＧＰＰ標準のリリース１０で規定されているアンテナポート番号０〜７のＣＳＩ−ＲＳのマッピング（図１（Ｃ）参照）をリソースブロック内で２つ組み合わせることにより，拡張されたアンテナポート数分のＣＳＩ−ＲＳのマッピングを生成する。アンテナポート番号０〜７のＣＳＩのマッピングと，アンテナポート番号８〜１５のＣＳＩのマッピングとを示すために，図２のテーブルのインデックス（CSI reference signal configuration）が２つ用いられてもよい。基地局は，生成されたマッピングを示す情報を移動局に通知する，また，基地局は，生成されたマッピングに従って，ＣＳＩ−ＲＳをリソースブロック内のリソースエレメントに多重する。」
「[0034]　それぞれの手法について，図面を参照して以下に詳細に説明する。
[0035]　（１）拡張されたアンテナポート数分のＣＳＩ−ＲＳのマッピングを新たに規定する手法
　図４に，本発明の実施例に係る無線通信システムの概略図を示す。無線通信システムは，広範囲をカバーするマクロ基地局１０と，マクロ基地局１０のエリア内またはその周辺に位置し，２次元配置したアンテナ素子を有するＦＤ−ＭＩＭＯ局２０と，移動局３０とを有する。ＦＤ−ＭＩＭＯ局２０は，８より多いアンテナ素子を有するものとする。この８より多いアンテナ素子は，８より多いアンテナポートに分類される。上記のように，１つのアンテナ素子が１つのアンテナポートに対応してもよく，また，複数のアンテナ素子が１つのアンテナポートに対応してもよい。
図４では，マクロ基地局１０とＦＤ−ＭＩＭＯ局２０とが別々に配置されているが，マクロ基地局１０が８より多いアンテナ素子を有するＦＤ−ＭＩＭＯ局として構成されてもよい。
[0036]　
ＦＤ−ＭＩＭＯ局２０は，拡張されたアンテナポート数分のＣＳＩ−ＲＳのマッピングを生成し，ＣＳＩ−ＲＳのマッピング情報を移動局３０に送信する
。
移動局３０は，ＣＳＩ−ＲＳのマッピング情報に従って，ＣＳＩ−ＲＳを抽出することができる。移動局３０は，ＣＳＩ−ＲＳを用いてチャネル品質を測定し，ＣＳＩを生成し，ＣＳＩをＦＤ−ＭＩＭＯ局２０に送信する
。
「[0065]　（２）
３ＧＰＰ標準のリリース１０で規定されているＣＳＩ−ＲＳのマッピングを組み合わせる手法
　この手法においても，
無線通信システムは図４と同様に構成される。
拡張されたアンテナポート数分のＣＳＩ−ＲＳのマッピングは，図１に示す所定数以下のアンテナポートについて規定されたＣＳＩ−ＲＳのマッピングを組み合わせることにより生成する。
[0066]　例えば，
アンテナポート数が３２の場合，図１（Ｃ）に示す８アンテナポートのマッピングを４つ組み合わせることにより，３２アンテナポート分のＣＳＩ−ＲＳが確保できる。８アンテナポートの場合には，０〜４のインデックス
で示される５種類のＣＳＩ−ＲＳのマッピングが可能である。例えば，このうち０〜３を用いることで，３２アンテナポート分のＣＳＩ−ＲＳが確保できる。
[0067]　通知するインデックスと，アンテナポートとの関係は，明示的に移動局３０に通知されてもよく，予め決められた規則に従うものとしてもよい。例えば，図２のテーブルにおける
０のインデックスがアンテナポート番号０〜７に割り当てられ，１のインデックスがアンテナポート番号８〜１５に割り当てられ，２のインデックスがアンテナポート番号１６〜２３に割り当てられ，３のインデックスがアンテナポート番号２４〜３１に割り当てられるという情報を移動局３０に通知してもよい。
[0068]　例えば，
アンテナポート数が１０の場合，
２アンテナポートのマッピングと，
８アンテナポートのマッピングとを組み合わせることにより，１０アンテナポート分のＣＳＩ−ＲＳが確保できる。２アンテナポートの場合には，０〜１９のインデックスで示される２０種類のＣＳＩ−ＲＳのマッピングが可能であり，８アンテナポートの場合には，０〜５のインデックスで示される５種類のＣＳＩ−ＲＳのマッピングが可能である。例えば，このうち２アンテナポート用のインデックス０と，８アンテナポート用のインデックス１とを組み合わせることで，１０アンテナポート分のＣＳＩ−ＲＳが確保できる。
２のアンテナポート数を示す２ビットと，
８のアンテナポート数を示す２ビットと，
１のインデックスとを移動局に通知すればよい。
[0069]　このように，図１に示す
１，２，４，８アンテナポート用のＣＳＩ−ＲＳのマッピングを組み合わせることにより，様々なアンテナポート数に対応可能になる。
[0070]　なお，１，２，４，８アンテナポート用のＣＳＩ−ＲＳのマッピングの組み合わせは，ＣＳＩ計算の際のＣＳＩプロセス（CSI Process）と共に移動局に通知されてもよい。ＣＳＩプロセスとは，３ＧＰＰ標準のリリース１１において規定された移動局によるＣＳＩフィードバックの詳細を示す情報である。ＣＳＩプロセスは，図８に示すように，ＣＳＩ計算に用いる信号電力測定用リソース（CSI-RS resource）と，干渉信号測定用リソース（CSI-IM（CSI-interference management） resource）との組み合わせにより規定される。信号電力送信用リソースとは，自セル内の信号電力を測定するためのリソース構成を示すインデックスであり，干渉信号測定用リソースとは，自セル内の信号が存在せず，他セル内の信号電力測定のためのリソース構成を示すインデックスである。リリース１１では，ＣＳＩプロセス毎に１つの信号電力測定用リソースと１つの干渉信号測定用リソースとを指定できる。ＣＳＩプロセス毎に複数の信号電力測定用リソース（例えば，＃１，＃２）と複数の干渉信号測定用リソース（例えば，＃１，＃２）とを指定することにより，拡張されたアンテナポート数分のＣＳＩ−ＲＳのマッピングが移動局に通知されてもよい。
[0071]　基地局２０及び移動局３０は，以下の点を除き，図６及び図７と同様に構成される。
[0072]　ＣＳＩ−ＲＳのマッピング情報格納部２０３は，図１（Ａ）〜（Ｃ）に示すようなマッピング情報を格納する。
[0073]　ＣＳＩ−ＲＳのマッピング情報通知部２０５は，ＣＳＩ−ＲＳのマッピングを示す情報を移動局に通知する。例えば，３２アンテナポートに対して０〜３のインデックスで示される４種類のＣＳＩ−ＲＳのマッピングを組み合わせる場合，ＣＳＩ−ＲＳのマッピング情報通知部２０５は，３２のアンテナポート数を示す情報と，０〜３のインデックスとを通知してもよい。例えば，１０アンテナポートに対して２アンテナポート用の０のインデックスで示されるＣＳＩのマッピングと，８アンテナポート用の１のインデックスで示されるＣＳＩのマッピングとを組み合わせる場合，ＣＳＩ−ＲＳのマッピング情報通知部２０５は，２，８のアンテナポート数を示す情報と，０，１のインデックスとを通知してもよい。また，マッピング情報は，ＣＳＩプロセスと共に通知されてもよい。」
【図１】
【図２】
【図４】
　[0006]及び図１によれば，
「ＣＳＩ−ＲＳのマッピング」はＣＳＩ−ＲＳのサブキャリアとシンボルの位置を特定している図である。
　[0006]〜[0008]及び図２によれば，
アンテナポート数が１又は２の場合，インデックス０〜１９の２０種類のマッピングを，アンテナポート数が４の場合，インデックス０〜９の１０種類のマッピングを，アンテナポート数が８の場合，インデックス０〜４の５種類のマッピングを，それぞれ有している。
　なお，[0068]の「０〜５のインデックスで示される５種類のＣＳＩ−ＲＳのマッピング」は「０〜４のインデックスで示される５種類のＣＳＩ−ＲＳのマッピング」の誤りであることは明らかである。
　したがって，引用例１には，
「８より多い拡張されたアンテナポート数に対応可能なＣＳＩ−ＲＳの構成を実現するための基地局において，
　ＣＳＩ−ＲＳとは，チャネル状態情報（ＣＳＩ：Channel State Information）を測定するために用いられる参照信号（Reference Signal）であり，
　周波数領域では，１リソースブロック内に１アンテナポート当たり１リソースエレメントが割当てられ，
　ＣＳＩ−ＲＳのマッピングはＣＳＩ−ＲＳのサブキャリアとシンボルの位置を特定している図であり，
　アンテナポート数が１又は２の場合，インデックス０〜１９の２０種類のマッピングを，アンテナポート数が４の場合，インデックス０〜９の１０種類のマッピングを，アンテナポート数が８の場合，インデックス０〜４の５種類のマッピングを，それぞれ有しており，
　マクロ基地局１０が８より多いアンテナ素子を有するＦＤ−ＭＩＭＯ局として構成され，
　拡張されたアンテナポート数分のＣＳＩ−ＲＳのマッピングを生成し，ＣＳＩ−ＲＳのマッピング情報を移動局３０に送信し，
　移動局３０は，ＣＳＩ−ＲＳのマッピング情報に従って，ＣＳＩ−ＲＳを抽出し，ＣＳＩ−ＲＳを用いてチャネル品質を測定し，ＣＳＩを生成し，ＣＳＩをＦＤ−ＭＩＭＯ局に送信し，
　３ＧＰＰ標準のリリース１０で規定されているＣＳＩ−ＲＳのマッピングを組み合わせる手法であって，
　所定数以下のアンテナポートについて規定されたＣＳＩ−ＲＳのマッピングを組み合わせることにより生成し，
　アンテナポート数が３２の場合，８アンテナポートのマッピングを４つ組み合わせることにより，３２アンテナポート分のＣＳＩ−ＲＳを確保し，
　８アンテナポートの場合には，０〜４のインデックスで示される５種類のＣＳＩ−ＲＳのマッピングが可能であるうち，例えば０〜３を用いることで，３２アンテナポート分のＣＳＩ−ＲＳを確保し，
　０のインデックスがアンテナポート番号０〜７に割り当てられ，１のインデックスがアンテナポート番号８〜１５に割り当てられ，２のインデックスがアンテナポート番号１６〜２３に割り当てられ，３のインデックスがアンテナポート番号２４〜３１に割り当てられるという情報を移動局３０に通知し，
　アンテナポート数が１０の場合，２アンテナポートのマッピングと，８アンテナポートのマッピングとを組み合わせることにより，１０アンテナポート分のＣＳＩ−ＲＳを確保し，
　２アンテナポートの場合には，０〜１９のインデックスで示される２０種類のＣＳＩ−ＲＳのマッピングが可能であり，８アンテナポートの場合には，０〜４のインデックスで示される５種類のＣＳＩ−ＲＳのマッピングが可能であるうち，例えば，２アンテナポート用のインデックス０と，８アンテナポート用のインデックス１とを組み合わせることで，１０アンテナポート分のＣＳＩ−ＲＳを確保し，
　２のアンテナポート数を示す２ビットと，０のインデックスと，８のアンテナポート数を示す２ビットと，１のインデックスとを移動局に通知し，
　１，２，４，８アンテナポート用のＣＳＩ−ＲＳのマッピングを組み合わせることにより，様々なアンテナポート数に対応可能になる
　手法。」
が記載されている。（以下，「引用発明」という。）
５．本願発明と引用発明の対比
（１）引用発明の「移動局３０」は，本願発明の「ユーザ機器(UE)」に，
　引用発明の「マクロ基地局１０」「ＦＤ−ＭＩＭＯ局」は，本願発明の「基地局」に，それぞれ相当する。
（２）本願明細書の【０５５５】に「チャネル状態情報測定のために使用される基準信号はCSI-RS(Channel State Information Reference Signal，チャネル状態情報基準信号)と呼ばれる。」と記載されており，引用発明の「ＣＳＩ−ＲＳ」は，チャネル状態情報（ＣＳＩ：Channel State Information）を測定するために用いられる参照信号（Reference Signal）であるから，引用発明の「ＣＳＩ−ＲＳ」は，本願発明の「基準信号」に含まれる。
　また，引用発明の「ＣＳＩ−ＲＳのマッピング」はＣＳＩ−ＲＳのサブキャリアとシンボルの位置を特定している図であり，サブキャリアとシンボルはそれぞれ周波数リソースと時間リソースであるから，「時間−周波数リソース」がマッピングされる位置を示している。
　したがって，引用発明の「ＣＳＲ−ＲＳのマッピング」は，本願発明の「基準信号リソースマッピング図」に含まれ，「基準信号の時間−周波数リソースがマッピングされる位置」である。
（３）引用発明は，拡張されたアンテナポート数分のＣＳＩ−ＲＳのマッピングを生成し，ＣＳＩ−ＲＳのマッピング情報を移動局３０に送信し，移動局３０は，ＣＳＩ−ＲＳのマッピング情報に従って，ＣＳＩ−ＲＳを抽出し，ＣＳＩ−ＲＳを用いてチャネル品質を測定し，ＣＳＩを生成し，ＣＳＩをＦＤ−ＭＩＭＯ局２０に送信している。
　つまり，「移動局３０」は，ＣＳＩ−ＲＳのマッピング情報を受信し，ＣＳＩ−ＲＳのマッピング情報に従ってＣＳＩ−ＲＳを取得し，ＣＳＩ−ＲＳを用いてチャネル品質を測定し，ＣＳＩを生成し，ＣＳＩを基地局２０にフィードバックとして送信しているといえる。
　そうすると，上記（１）（２）に記載したように，引用発明の「移動局３０」は本願発明の「ユーザ機器（ＵＥ）」に相当し，引用発明の「ＣＳＩ−ＲＳ」は本願発明の「基準信号」に含まれるから，引用発明は，ユーザ機器によって，「基準信号リソースマッピング図を受信し，基準信号リソースマッピング図に従って基準信号を取得」し，ユーザ機器によって，「基準信号を用いてチャネル測定し，ＣＳＩを生成し，ＣＳＩを基地局にフィードバックする」といえる。
　また，引用発明は，受信したＳＣＩ−ＲＳのマッピングに従ってチャネル測定し，生成したＣＳＩを基地局にフィードバックしている「手法」であるから，全体として「チャネル測定方法」であるといえる。
（４）引用発明において，
　アンテナポート数が１又は２の場合，インデックス０〜１９の２０種類のＣＳＩ−ＲＳのマッピングを，
　アンテナポート数が４の場合，インデックス０〜９の１０種類のＣＳＩ−ＲＳのマッピングを，
　アンテナポート数が８の場合，インデックス０〜４の５種類のＣＳＩ−ＲＳのマッピングを，
　それぞれ有しており，アンテナポート数を表す１，２，４，８は８以下の2nを満たす整数である。
　つまり，アンテナポート数が「１又は２アンテナポート」「４アンテナポート」「８アンテナポート」の場合，それぞれ「２０個（種類）」「１０個（種類）」「５個（種類）」のＣＳＩ−ＲＳのマッピングを有しているといえる。
　そうすると，引用発明の「５種類の８アンテナポート用のＣＳＩ−ＲＳのマッピング」「１０種類の４アンテナポート用のＣＳＩ−ＲＳのマッピング」「２０種類の１又は２アンテナポート用のＣＳＩ−ＲＳのマッピング」は，全体で３５個の「ＣＳＩ−ＲＳのマッピング」であるから，本願発明の「K1個の第1の基準信号リソースマッピング図」であると同時に，アンテナポート数を表す「８」「４」「１又は２」は「Yが８以下で2nを満たす整数」に含まれるから，「Yポートの基準信号リソースマッピング図」でもある。
　一方，
　１０ポートのＣＳＩ−ＲＳにおいて「２アンテナポート用のＣＳＩ−ＲＳのマッピングのインデックス０と，８アンテナポート用のＣＳＩ−ＲＳのマッピングのインデックス１とを組み合わせ」の場合であれば，「２アンテナポート用のＣＳＩ−ＲＳのマッピングのインデックス０」と「８アンテナポート用のＣＳＩ−ＲＳのマッピングのインデックス１」を用いて作成されているから，「２アンテナポート用のＣＳＩ−ＲＳのマッピングのインデックス０」及び「８アンテナポート用のＣＳＩ−ＲＳのマッピングのインデックス１」と相関関係が存在し，
　３２ポートのＣＳＩ−ＲＳにおいて「８アンテナポート用のＣＳＩ−ＲＳのマッピングのインデックス０〜３」を用いる場合であれば，「８アンテナポート用のＣＳＩ−ＲＳのマッピングのインデックス０」「８アンテナポート用のＣＳＩ−ＲＳのマッピングのインデックス１」「８アンテナポート用のＣＳＩ−ＲＳのマッピングのインデックス２」「８アンテナポート用のＣＳＩ−ＲＳのマッピングのインデックス３」を用いて作成されているから，「８アンテナポート用のＣＳＩ−ＲＳのマッピングのインデックス０」「８アンテナポート用のＣＳＩ−ＲＳのマッピングのインデックス１」「８アンテナポート用のＣＳＩ−ＲＳのマッピングのインデックス２」「８アンテナポート用のＣＳＩ−ＲＳのマッピングのインデックス３」と相関関係が存在している。
　つまり，３２ポートと１０ポートのＣＳＩ−ＲＳのマッピングの各々は，「２，８アンテナポート用のＣＳＩ−ＲＳのマッピングを組み合わせ」て作成されているから，「１，２，４，８アンテナポート用のＣＳＩ−ＲＳのマッピングの少なくとも１つ」と相関関係が存在しており，アンテナポート数を表す「１０」と「３２」はいずれも８より大きい整数である。
　そうすると，引用発明の「１０，３２ポートのＣＳＩ−ＲＳのマッピング」は，本願発明の「第２の基準信号リソースマッピング図」であると同時に，アンテナポート数を表す「１０」，「３２」はいずれも８より大きい整数であり，「Xは8より大きい整数，または8より小さく2nを満たさない整数」に含まれるから，「Ｘポートの基準信号リソースマッピング図」でもある。
　したがって，「第２の基準信号リソースマッピング図とK1個の第１の基準信号リソースマッピング図の少なくとも１つとの間に相関関係が存在」しているといえる。
　したがって，
「チャネル測定方法であって，
　ユーザ機器(UE)によって，基準信号リソースマッピング図を取得し，前記基準信号リソースマッピング図に従って基準信号を取得するステップと，
　前記UEによって，前記基準信号に従ってチャネル測定を実行してチャネル状態情報を決定し，前記チャネル状態情報を基地局にフィードバックするステップと，を備え，
　前記基準信号リソースマッピング図が，前記基準信号の時間-周波数リソースがマッピングされる位置であり，前記基準信号リソースマッピング図が，第1の基準信号リソースマッピング図または第2の基準信号リソースマッピング図であり，第2の基準信号リソースマッピング図とK1個の第1の基準信号リソースマッピング図のうちの少なくとも1つとの間に相関関係が存在し，K1が前記第1の基準信号リソースマッピング図の数であり，K1が１以上の整数であり，
　前記第1の基準信号リソースマッピング図がYポートの基準信号リソースマッピング図であり，前記第2の基準信号リソースマッピング図がXポートの基準信号リソースマッピング図であり，Yが8以下で2nを満たす整数であり，Xが8より大きい整数，または8より小さく2nを満たさない整数である，チャネル測定方法。」
　で一致し，
　本願発明は，第２の基準信号リソースマッピング図について，
（Ａ）１以上の整数であるK2個に対し，
（Ｂ）K2個の第２の基準信号リソースマッピング図の各々とK1個の基準信号リソースマッピング図のうちの少なくとも１つとの間に相関関係が存在し，
（Ｃ）K2個の第２の基準信号リソースマッピング図のうちの少なくとも２つは重複するリソースを有する
　のに対し，引用発明は，第２の基準信号リソースマッピング図について，
　第２の基準信号リソースマッピング図は「１つ」が示され，K1個の基準信号リソースマッピング図のうちの少なくとも１つとの間に相関関係が存在するものの，
（ａ）１以上の整数であるK2個に対し，
（ｂ）「K2個の第２の基準信号リソースマッピング図の各々」とK1個の基準信号リソースマッピング図のうちの少なくとも１つとの間に相関関係が存在する
（ｃ）K2個の第２の基準信号リソースマッピング図のうちの少なくとも２つは重複するリソースを有する
　かどうか記載が無い点。
　で相違する。
６．当審の判断
　相違点について
（ａ）引用発明において，３２アンテナポートの場合は，０〜４の５種類の８アンテナポート用のＣＳＩ−ＲＳのマッピングから「４つ組み合わせる」のであり，「４つ組み合わせ」は，「０，１，２，３」のインデックス以外にも「０，１，２，４」「０，１，３，４」「０，２，３，４」「１，２，３，４」の全部で５通り（５個）の「４つ組み合わせ」が存在することは，平成３０年１１月８日付けの拒絶理由通知における引用文献２の[0095]に，「As a method of selecting M 8-port CSI-RS transmission patterns from among five 8-port CSI-RS transmission patterns, 5CM may be used.」とも記載されるように，数学の常識である。
　ここで，２アンテナポート用のＣＳＩ−ＲＳのマッピングのインデックス「０，５，１０，１１」と８アンテナポート用のＣＳＩ−ＲＳのマッピングのインデックス「０」，
　２アンテナポート用のＣＳＩ−ＲＳのマッピングのインデックス「１，６，１２，１３」と８アンテナポート用のＣＳＩ−ＲＳのマッピングのインデックス「１」，
　２アンテナポート用のＣＳＩ−ＲＳのマッピングのインデックス「２，７，１４，１５」と８アンテナポート用のＣＳＩ−ＲＳのマッピングのインデックス「２」，
　２アンテナポート用のＣＳＩ−ＲＳのマッピングのインデックス「３，８，１６，１７」と８アンテナポート用のＣＳＩ−ＲＳのマッピングのインデックス「３」，
　２アンテナポート用のＣＳＩ−ＲＳのマッピングのインデックス「４，９，１８，１９」と８アンテナポート用のＣＳＩ−ＲＳのマッピングのインデックス「４」は，
　割り当てられているリソースエレメントが重複していることは，図１及び図２に示されるそれぞれの時間−周波数リソースを参照すれば自明である。
　引用発明は「周波数領域では，１リソースブロック内に１アンテナポート当たり１リソースエレメントが割当てられ」る，すなわち，各アンテナポートに対して別々のリソースエレメントを割当てるのであるから，１０アンテナポートの場合に，０〜１９のインデックスで示される２０種類の２アンテナポート用のＣＳＩ−ＲＳのマッピングのいずれか１つと，０〜４のインデックスで示される５種類の８アンテナポート用のＣＳＩ−ＲＳのマッピングのいずれか１つを組み合わせるにあたり，上記の重複する組み合わせを採用することはできない。
　つまり，引用発明において，１０アンテナポートの場合は，２０種類の２アンテナポート用のＣＳＩ−ＲＳのマッピングの各々に対して４種類の８アンテナポート用のＣＳＩ−ＲＳのマッピングが選択可能であるから，全部で８０通り（８０個）の「２アンテナポート用のＣＳＩ−ＲＳのマッピングと８アンテナポート用のＣＳＩ−ＲＳのマッピングの組み合わせ」が存在することが，数学の常識である。
　上記によれば，３２アンテナポートも１０アンテナポートも，複数個のＣＳＩ−ＲＳのマッピングが存在することは明らかであり，「１，２，４，８アンテナポートのＣＳＩ−ＲＳのマッピング」を組み合わせて作成される，３２又は１０以外のＭアンテナポートのＣＳＩ−ＲＳのマッピングについても同様に，複数個のＣＳＩ−ＲＳのマッピングが存在することは明らかである。
　ここで，「１，２，４，８」が2nであること，二進法として知られるように2nの組み合わせにより全ての１以上の整数が表記可能であることは，いずれも数学の常識であるから，引用発明において，「１，２，４，８アンテナポート用のＣＳＩ−ＲＳのマッピングを組み合わせることにより，様々なアンテナポート数に対応可能」の記載の「様々なアンテナポート数」とは，３２や１０に限定されない「8より大きい整数，または8より小さく2nを満たさない整数」である。
　すなわち，8より大きい整数，または8より小さく2nを満たさない整数に対してK2個（K2＞１）個のＣＳＩ−ＲＳのマッピングが存在すると理解することも，当業者であれば容易に想到しうることである。
　なお，第２の基準信号リソースマッピング図のXポートの，「Xが8より大きい整数，または8より小さく2nを満たさない整数」については，１０，３２，すなわち「Xが8より大きい整数」について引用発明に記載されているから相違点ではないが，「8より小さく2nを満たさない整数」についても上記のとおり容易に想到しうることである。
（ｂ）そして，「１，２，４，８アンテナポート用のＣＳＩ−ＲＳのマッピング」を組み合わせることは，何れの組み合わせについても，組み合わせる対象の「１又は２アンテナポート用のＣＳＩ−ＲＳのマッピング」「４アンテナポート用のＣＳＩ−ＲＳのマッピング」「８アンテナポート用のＣＳＩ−ＲＳのマッピング」のいずれかを用いて作成されているから，（ａ）に記載した「１，２，４，８アンテナポートのＣＳＩ−ＲＳのマッピングを組み合わせて作成される様々なアンテナポート数のＣＳＩ−ＲＳのマッピング」は，「１，２，４，８アンテナポート用のＣＳＩ−ＲＳのマッピング」と相関関係が存在しているといえる。
　そうすると，（ａ）に記載したように「様々なポート数用のＣＳＩ−ＲＳのマッピング」は「K2個の第２の基準信号リソースマッピング図」であり，５．（４）に記載したように，「１，２，４，８アンテナポート用のＣＳＩ−ＲＳのマッピング」は「K1個の第１の基準信号リソースマッピング図」であるから，「K2個の第２の基準信号リソースマッピング図の各々」は，「K1個の第１の基準信号リソースマッピング図」と相関関係が存在しているといえる。
（ｃ）また，「１，２，４，８アンテナポート用のＣＳＩ−ＲＳのマッピング」を組み合わせるにあたり，
　例えば，３２アンテナポート用のＣＳＩ−ＲＳのマッピングの「インデックス０」が，（ａ）に記載した５通りの「４つ組み合わせ」のうち，「０，１，２，３」「０，１，２，４」「０，１，３，４」「０，２，３，４」の４通りの「４つ組み合わせ」で用いられ，
　１０アンテナポート用のＣＳＩ−ＲＳのマッピングの「２アンテナポート用のＣＳＩ−ＲＳのマッピングのインデックス０」が（ａ）に記載した８０通りの組み合わせのうち，「２アンテナポート用のＣＳＩ−ＲＳのマッピングのインデックス０と８アンテナポート用のＣＳＩ−ＲＳのマッピングのインデックス１」「２アンテナポート用のＣＳＩ−ＲＳのインデックス０と８アンテナポート用のＣＳＩ−ＲＳのインデックス２」「２アンテナポート用のＣＳＩ−ＲＳのインデックス０と８アンテナポート用のＣＳＩ−ＲＳのインデックス３」「２アンテナポート用のＣＳＩ−ＲＳのインデックス０と８アンテナポート用のＣＳＩ−ＲＳのインデックス４」との４通りの組み合わせで用いられるように，
　「第１の基準信号リソースマッピング図の特定のマッピング図」を「複数の第２の基準信号リソースマッピング図」を作成する際に用いるのであるから，「１０，３２アンテナポート用のＣＳＩ−ＲＳのマッピング」の少なくとも２つは，同じインデックス，すなわち重複するリソースを有していることは明らかであり，その他の組み合わせについても，所定のインデックスが複数の組み合わせに用いられるから，「K2個の第２の基準信号リソースマッピング図のうちの少なくとも２つは重複するリソースを有している」といえる。
　したがって，相違点は，引用発明と数学の常識に基づいて容易に想到しうることである。
７．請求人の主張
　請求人は，平成３１年１月３１日の意見書および審判請求書において，
「引用文献１の図２において、各々の８ポートのマッピング図は、複数の２ポートによって得られ、より重要なことは、異なる８ポートのマッピング図のリソースは全く重複しません。同様の原理は当然に保たれ得ます。」
　と主張している。
　確かに引用発明において，５個（種類）の「８アンテナポート用のＣＳＩ−ＲＳのマッピング」は重複しないが，８アンテナポート用のＣＳＩ−ＲＳのマッピングは，「第１の基準信号リソースマッピング図」である一方，本願発明において，少なくとも２つが重複するリソースを有するのは「第２の基準信号リソースマッピング図」であって「第１の基準信号リソースマッピング図」ではない。
　さらに，本願明細書の【０６７０】−【０６７２】及び図５に記載されるように，本願実施例においても，５個の８ポートの基準信号リソースマッピング図は，重複していないのであるから，本願発明の実施例を参照しても引用発明と差異はなく，請求人の主張は採用されない。
８．むすび
　以上のとおり，本願発明は，引用発明及び数学の常識に基づいて，当業者が容易に発明をすることができたものであるから，特許法第２９条第２項の規定により特許を受けることができない。
　よって，結論のとおり審決する。